(57)【要約】【課題】通常の杭打ち作業と低空頭杭打ち作業とを容易に切り替えて対応することが可能な構造を備えた杭打機を提供する。【解決手段】ベースマシン１２の前部に起伏可能に設けられたリーダ２０と、リーダを後方から支持するリーダ起伏シリンダ２３とを備えた杭打機において、リーダは、ベースマシンに取り付けられた下部リーダ２０ａと、ベースマシンに前後方向に回動可能に設けられて下部リーダの上に連結される回動リーダ２０ｂと、リーダの最上部に配置される上部リーダ２０ｃとを備え、上部リーダは、筒状に形成された本体部２８と、本体部の下端に設けられた連結用フランジ２９と、本体部の上端に設けられた機器取付用フランジ３０とを有するとともに、本体部における上半部の前後方向寸法を、下半部の前後方向寸法より小さく形成し、本体部の上半部後部壁を前方にオフセットした状態の逃げ凹部２８ａを設けた。【選択図】図１
2019039139.tif 000002
【特許請求の範囲】
【請求項１】
ベースマシンの前部に起伏可能に設けられたリーダと、該リーダを後方から支持するリーダ起伏シリンダとを備えた杭打機において、前記リーダは、前記ベースマシンに取り付けられた下部リーダと、前記ベースマシンに前後方向に回動可能に設けられて前記下部リーダの上に連結される回動リーダと、前記リーダの最上部に配置される上部リーダとを備え、前記上部リーダは、筒状に形成された本体部と、該本体部の下端に設けられた連結用フランジと、前記本体部の上端に設けられた機器取付用フランジとを有するとともに、該本体部における上半部の前後方向寸法を、下半部の前後方向寸法より小さく形成し、本体部の上半部後部壁を前方にオフセットした状態の逃げ凹部を設けたことを特徴とする杭打機。
【請求項２】
前記機器取付用フランジの上にロッド連結部材が取り付けられ、該ロッド連結部材の後方に突出した部分に前記リーダ起伏シリンダのロッド先端を連結するロッド連結孔が設けられていることを特徴とする請求項１記載の杭打機。
【発明の詳細な説明】
【技術分野】
【０００１】
本発明は、杭打機に関し、詳しくは、高さ制限のある施工現場での杭打ち作業に対応した杭打機に関する。
【背景技術】
【０００２】
橋の下や建屋内、トンネル内、地下などの空頭高さに制限のある場所で低空頭杭打作業を行う杭打機として、ベースマシンの全高を、例えば４ｍ程度に低く抑えた低空頭対応杭打機が各種提案されている（例えば、特許文献１参照。）。
【先行技術文献】
【特許文献】
【０００３】
【特許文献１】特開２０１１−１５３４７５号公報
【発明の概要】
【発明が解決しようとする課題】
【０００４】
しかし、従来の低空頭対応杭打機は、低空頭専用機であることから、トンネル内などの低空頭杭打ち作業が多い場所では有効であるが、低空頭杭打ち作業が少なく、通常の杭打ち作業が多い施工現場では、通常用の杭打機と低空頭用の杭打機とを用意しなければならず、施工コストが大幅に上昇することになる。
【０００５】
そこで本発明は、通常の杭打ち作業と低空頭杭打ち作業とを容易に切り替えて対応することが可能な構造を備えた杭打機を提供することを目的としている。
【課題を解決するための手段】
【０００６】
上記目的を達成するため、本発明の杭打機は、ベースマシンの前部に起伏可能に設けられたリーダと、該リーダを後方から支持するリーダ起伏シリンダとを備えた杭打機において、前記リーダは、前記ベースマシンに取り付けられた下部リーダと、前記ベースマシンに前後方向に回動可能に設けられて前記下部リーダの上に連結される回動リーダと、前記リーダの最上部に配置される上部リーダとを備え、前記上部リーダは、筒状に形成された本体部と、該本体部の下端に設けられた連結用フランジと、前記本体部の上端に設けられた機器取付用フランジとを有するとともに、該本体部における上半部の前後方向寸法を、下半部の前後方向寸法より小さく形成し、本体部の上半部後部壁を前方にオフセットした状態の逃げ凹部を設けたことを特徴としている。
【０００７】
さらに、本発明の杭打機は、前記機器取付用フランジの上にロッド連結部材が取り付けられ、該ロッド連結部材の後方に突出した部分に前記リーダ起伏シリンダのロッド先端を連結するロッド連結孔が設けられていることを特徴としている。
【発明の効果】
【０００８】
本発明の杭打機によれば、低空頭杭打ち作業用に使用する上部リーダに逃げ凹部を設けているので、杭打機を輸送状態にする際に、リーダ起伏シリンダを短縮させてリーダを後方に倒したときに、リーダ起伏シリンダと上部リーダとが干渉することがなくなり、リーダをベースマシンの上方に十分に倒すことができ、輸送状態の杭打機の全高を低くすることができる。また、上部リーダを、低空頭杭打ち作業用の上部リーダから通常の杭打ち作業用の上部リーダに交換することにより、一つのベースマシンを低空頭用と通常用とに使用することができる。さらに、回動リーダと上部リーダとの間に中間リーダを挿入して任意の高さのリーダを形成することもできる。
【図面の簡単な説明】
【０００９】
【図１】本発明の杭打機を低空頭杭打ち作業用とした作業状態の一形態例を示す側面図である。
【図２】同じく作業状態における要部の側面図である。
【図３】同じく輸送状態を示す側面図である。
【図４】同じく輸送状態における要部の側面図である。
【図５】本発明の杭打機を通常の杭打ち作業用とした作業状態の一例を示す側面図である。
【発明を実施するための形態】
【００１０】
図１乃至図４は、本発明の杭打機を、全高が４ｍ程度の低空頭杭打ち作業用とした一形態例を示している。この杭打機１１のベースマシン１２は、クローラを備えた下部走行体１３の上部に、旋回ベアリングを介して上部旋回体１４を旋回可能に設けるとともに、該上部旋回体１４に、運転室１５や機器室１６を設けている。さらに、上部旋回体１４の後部には、カウンタウエイト１７が設けられるとともに、後部両側には、左右一対のリアジャッキ１８が設けられている。
【００１１】
また、上部旋回体１４の前端下部には、左右一対のフロントジャッキ１９とリーダ２０における下部リーダ２０ａとが装着されたフロントブラケット２１が設けられ、上部旋回体１４の前端上部には、リーダ２０における回動リーダ２０ｂを前後方向に回動可能に支持するリーダブラケット２２が設けられている。さらに、リーダブラケット２２の後部側には、リーダ２０を後方から支持するリーダ起伏シリンダ２３が前後方向に回動可能に設けられるとともに、該リーダ起伏シリンダ２３に隣接して油圧ホース支持アーム２４が前後方向に回動可能に設けられている。リーダ起伏シリンダ２３には、伸縮比が大きな２段テレスコピック式が用いられている。
【００１２】
リーダ２０は、下端に振止装置２５を装着した前記下部リーダ２０ａと、該下部リーダ２０ａの上端に連結される前記回動リーダ２０ｂと、該回動リーダ２０ｂの上端に連結される最上部の上部リーダとしての低空頭用上部リーダ２０ｃとで形成されており、各リーダ２０ａ，２０ｂ，２０ｃは、連結用フランジを介して着脱可能に連結される。また、リーダ２０の両側前部には、作業装置２６のガイドギブ２６ａを昇降可能にガイドするガイドパイプ２７ａがそれぞれ設けられており、リーダ２０の前面中央には、作業装置２６に設けられた昇降ピニオン（図示せず）が噛合するラック２７ｂが設けられている。
【００１３】
本形態例に示す低空頭用上部リーダ２０ｃは、低空頭杭打ち作業用に適した形状に形成されており、筒状に形成された本体部２８と、該本体部２８の下端に設けられた連結用フランジ２９と、本体部２８の上端に設けられた機器取付用フランジ３０とを有するとともに、本体部２８は、該本体部２８における上半部の前後方向寸法を、下半部の前後方向寸法より小さく形成し、本体部２８の上半部後部壁を前方にオフセットした状態の逃げ凹部２８ａを設けている。
【００１４】
機器取付用フランジ３０は、本体部２８の上半部前後方向寸法に対応した前後方向寸法を有しており、この機器取付用フランジ３０の上には、ロッド連結部材３１が取り付けられている。ロッド連結部材３１の後端は、機器取付用フランジ３０の後端より後方に突出しており、この突出部に、リーダ起伏シリンダ２３のロッド先端に設けられた連結孔に対応したロッド連結孔３１ａが設けられている。このロッド連結孔３１ａの中心は、機器取付用フランジ３０の後端より後方で、かつ、連結用フランジ２９の後端より前方に位置している。
【００１５】
また、作業装置２６の上部一側には油圧ホース接続部３２が設けられるとともに、油圧ホース３３をガイドするホースガイド部材３３ａが設けられている。
【００１６】
図１及び図２に示すように、低空頭杭打ち作業状態の杭打機１１は、下部リーダ２０ａ、回動リーダ２０ｂ及び低空頭用上部リーダ２０ｃをフランジ結合にて連結し、伸長させたリーダ起伏シリンダ２３の連結孔とロッド連結部材３１のロッド連結孔とを合わせて連結ピン３４で連結してリーダ２０を起立状態に保持するとともに、油圧ホース支持アーム２４を後方に倒し、各油圧ホース３３を所定位置に接続した状態で使用される。低空頭杭打ち作業は、従来の低空頭専用杭打機と同様に、作業装置２６をリーダ２０に沿って昇降させることによって行うことができる。
【００１７】
一方、杭打機１１をトレーラの荷台に積載して輸送する際には、図３及び図４に示すように、リーダ起伏シリンダ２３を短縮させて回動リーダ２０ｂ及び低空頭用上部リーダ２０ｃを後方に倒し、上部旋回体１４の上に沿った輸送状態にする。作業状態から輸送状態に切り替える際には、振止装置２５を取り外した下部リーダ２０ａの位置に作業装置２６を降下させた後、下部リーダ２０ａと回動リーダ２０ｂとのフランジ結合を解除してからリーダ起伏シリンダ２３を短縮させ、回動リーダ２０ｂ及び低空頭用上部リーダ２０ｃを連結状態のまま後方に倒していく。
【００１８】
この輸送状態において、伸縮比が大きな２段テレスコピック式で、基部のシリンダボディ２３ａの直径が大きなリーダ起伏シリンダ２３を使用しても、低空頭用上部リーダ２０ｃの後部に逃げ凹部２８ａを設けているので、シリンダボディ２３ａの先端側と上部リーダ２０ｃの後部とが干渉することがなくなる。これにより、リーダ起伏シリンダ２３を最短状態まで短縮させて回動リーダ２０ｂ及び低空頭用上部リーダ２０ｃを後方に向けて十分に倒すことができ、低空頭用上部リーダ２０ｃやリーダ起伏シリンダ２３を取り外したりすることなく、輸送状態の杭打機１１の全高を輸送制限内に収めることができる。
【００１９】
低空頭用上部リーダ２０ｃは、本体部２８の上半部後部側に逃げ凹部２８ａを設けているため、強度は低下するが、作業装置２６を最上部に上昇させた状態で、ガイドパイプ２７ａに係合するガイドギブ２６ａの長さは、ガイドギブ２６ａの全体長さに対して半分以下、本形態例では１／３程度であり、実際の杭打ち作業は、作業装置２６が最上部より下方に位置した状態で行われるので、杭打ち作業中に作業装置２６から低空頭用上部リーダ２０ｃに大きなねじり力が作用することはほとんどなく、逃げ凹部２８ａを設けたことによる低空頭用上部リーダ２０ｃの強度低下は、実際の杭打ち作業で問題になることはない。
【００２０】
図５は、本発明の杭打機を、全高が５ｍ程度となる通常の杭打ち作業用とした例を示している。なお、以下の説明において、前記形態例に示した杭打機の構成要素と同一の構成要素には同一の符号を付して詳細な説明は省略する。
【００２１】
通常の杭打ち作業状態では、前記低空頭杭打ち作業状態に対して、回動リーダ２０ｂの背面にウインチ４１を取り付け、上部リーダを、前記低空頭用上部リーダ２０ｃから通常用上部リーダ４２に変更するとともに、通常用上部リーダ４２の上に、ウインチ４１から巻き出された鋼管杭吊り上げ用ワイヤ（図示せず）を巻掛けるトップシーブブロック４３を装着したものである。
【００２２】
通常用上部リーダ４２は、回動リーダ２０ｂと同様に、筒状本体部４４の上下に連結用フランジ４５をそれぞれ設けたものであって、下端部の連結用フランジ４５が回動リーダ２０ｂの上端部の連結用フランジに結合され、上端部の連結用フランジ４５の上にトップシーブブロック４３が取り付けられる。また、通常用上部リーダ４２の背面には、台座４６を介してロッド連結部材４７が取り付けられており、リーダ背面から突出したロッド連結部材４７に連結ピン３４を介してリーダ起伏シリンダ２３が連結される。
【００２３】
通常の杭打ち作業は、リーダ起伏シリンダ２３を伸長させ、連結された回動リーダ２０ｂ及び通常用上部リーダ４２を起立させるとともに、下部リーダ２０ａと回動リーダ２０ｂとをフランジ結合した状態で行われる。また、油圧ホース支持アーム２４は、シリンダ２４を適宜伸長させて油圧ホースの長さに応じて起立方向に回動させる。
【００２４】
このように、同一のベースマシン１２を使用してリーダ２０の上部側部材を変更するだけで、低空頭杭打ち作業用と通常の杭打ち作業用とに使い分けることができる。したがって、大部分が通常の杭打ち作業で、一部に低空頭杭打ち作業が必要な現場においても、１台の杭打機で全ての杭打ち作業を行うことが可能となる。
【００２５】
図５に示す状態の通常の杭打ち作業用の杭打機を輸送する際に、リーダ起伏シリンダ２３を短縮させて回動リーダ２０ｂ及び通常用上部リーダ４２を後方に倒した場合、リーダ起伏シリンダ２３のロッド先端が、通常用上部リーダ４２の背面から突出したロッド連結部材４７に連結されているため、シリンダボディ２３ａが通常用上部リーダ４２の後面に干渉することはない。
【００２６】
さらに、回動リーダ２０ｂと通常用上部リーダ４２との間に、適宜な長さの中間リーダを挿入したり、リーダ起伏シリンダ２３を長尺のものに変更したりすることにより、リーダ２０の高さを１０ｍ以上にすることも可能である。また、低空頭用上部リーダ２０ｃの上にもトップシーブブロック４３を取付可能とし、通常用上部リーダ４２に代えて低空頭用上部リーダ２０ｃを使用可能にしておくことにより、リーダ長のパターンを数多く設定することができる。
【符号の説明】
【００２７】
１１…杭打機、１２…ベースマシン、１３…下部走行体、１４…上部旋回体、１５…運転室、１６…機器室、１７…カウンタウエイト、１８…リアジャッキ、１９…フロントジャッキ、２０…リーダ、２０ａ…下部リーダ、２０ｂ…回動リーダ、２０ｃ…低空頭用上部リーダ、２１…フロントブラケット、２２…リーダブラケット、２３…リーダ起伏シリンダ、２３ａ…シリンダボディ、２４…油圧ホース支持アーム、２５…振止装置、２６…作業装置、２６ａ…ガイドギブ、２７ａ…ガイドパイプ、２７ｂ…ラック、２８…本体部、２８ａ…逃げ凹部、２９…連結用フランジ、３０…機器取付用フランジ、３１…ロッド連結部材、３２…油圧ホース接続部、３３…油圧ホース、３３ａ…ホースガイド部材、３４…連結ピン、４１…ウインチ、４２…通常用上部リーダ、４３…トップシーブブロック、４４…筒状本体部、４５…連結用フランジ、４６…台座、４７…ロッド連結部材
【図１】
2019039139.tif 000003
【図２】
2019039139.tif 000004
【図３】
2019039139.tif 000005
【図４】
2019039139.tif 000006
【図５】
2019039139.tif 000007